(57)【要約】【課題】連係動作プログラム、及びこの連係動作プログラムをインストールされた接続機器において、外部機器にイベントが発生した際における、連動側の機器（主に自機）の状態を考慮して、連動側の機器の動作を実行することができるようにして、真にユーザの意図に沿った連係動作を実行する。【解決手段】テレビジョン受像機は、連係相手の外部機器からイベント発生の通知を受信すると（Ｓ１１でＹＥＳ）、その時点における自機の状態と、上記通知の送信元の外部機器と、上記通知で知らされたイベントとに対応した自機の動作が、初期設定データとしてメモリに記憶（登録）されているか否かを確認する（Ｓ１２）。この結果、これらの条件に該当する自機の動作が、メモリに記憶（登録）されている場合には（Ｓ１３でＹＥＳ）、テレビジョン受像機は、メモリに記憶（登録）されている動作を実行する（Ｓ１４）。【選択図】図９
2007110388.tif 000002
【特許請求の範囲】
【請求項１】
ＩＰ（Internet Protocol）ネットワークを介して接続された複数の接続機器間の動作を連係させるための連係動作プログラムにおいて、
前記複数の接続機器は、ＵＰｎＰ（Universal Plug and Play）規格に準拠しており、
前記連係動作プログラムは、前記複数の接続機器のうちの一つであるテレビジョン受像機にインストールされ、
前記連係動作プログラムは、前記テレビジョン受像機を、
連係動作実行時の前記テレビジョン受像機の状態と、連係する外部機器と、前記連係動作の実行条件となる、前記外部機器における状態の変化（以下、イベントの発生という）と、この外部機器のイベントの発生時に実行する前記テレビジョン受像機側の動作とを設定するための連係動作設定手段、
前記連係動作設定手段により設定された各設定を記憶する連係動作設定記憶手段、
前記連係動作設定手段により設定された、前記連係する外部機器に対して、この外部機器にイベントが発生した場合に前記テレビジョン受像機にイベント発生を通知する旨の登録要求を、ＵＰｎＰ規格におけるＳＵＢＳＣＲＩＢＥの形式で前記連係する外部機器に送信する登録要求送信手段、
前記連係する外部機器からイベント発生の通知を受信したときに、その時点における前記テレビジョン受像機の状態と、前記通知の送信元の外部機器と、前記通知で知らされたイベントとに対応した、前記テレビジョン受像機側の動作が連係動作設定記憶手段に記憶されているか否かを確認する確認手段、及び
前記確認手段による確認の結果、前記テレビジョン受像機側の動作が記憶されている場合に、この記憶されている動作を実行する実行手段として機能させることを特徴とする連係動作プログラム。
【請求項２】
ネットワークを介して接続された複数の接続機器間の動作を連係させるための連係動作プログラムにおいて、
前記連係動作プログラムは、前記複数の接続機器のうちの一つの接続機器にインストールされ、
前記連係動作プログラムは、前記一つの接続機器（以下、自機という）を、
連係動作実行時の自機の状態と、前記連係動作の実行条件となる、外部機器における状態の変化（以下、イベントの発生という）と、この外部機器のイベントの発生時に実行する自機側の動作とを設定するための連係動作設定手段、
前記連係動作設定手段により設定された各設定を記憶する連係動作設定記憶手段、
前記外部機器にイベントが発生した場合に自機にイベント発生を通知する旨の登録要求を、前記外部機器に送信する登録要求送信手段、
前記外部機器からイベント発生の通知を受信したときに、その時点における自機の状態と前記通知で知らされたイベントとに対応した自機側の動作が連係動作設定記憶手段に記憶されているか否かを確認する確認手段、及び
前記確認手段による確認の結果、自機側の動作が記憶されている場合に、この記憶されている動作を実行する実行手段として機能させることを特徴とする連係動作プログラム。
【請求項３】
ＩＰ（Internet Protocol）ネットワークを介して接続された複数の接続機器のうちの一つの接続機器であって、
ＩＰネットワーク内の外部機器との連係動作実行時の自機の状態と、前記連係動作の実行条件となる、前記外部機器における状態の変化（以下、イベントの発生という）と、この外部機器のイベントの発生時に実行する自機側の動作とを設定するための連係動作設定手段と、
前記連係動作設定手段により設定された各設定を記憶する連係動作設定記憶手段と、
前記外部機器にイベントが発生した場合に自機にイベント発生を通知する旨の登録要求を、前記外部機器に送信する登録要求送信手段と、
前記外部機器からイベント発生の通知を受信したときに、その時点における自機の状態と前記通知で知らされたイベントとに対応した自機側の動作が連係動作設定記憶手段に記憶されているか否かを確認する確認手段と、
前記確認手段による確認の結果、自機側の動作が記憶されている場合に、この記憶されている動作を実行する実行手段とを備えることを特徴とする接続機器。
【発明の詳細な説明】
【技術分野】
【０００１】
本発明は、ネットワークを介して接続された複数の接続機器間の動作を連係させるための連係動作プログラムと、上記複数の接続機器間の動作を連係させる機能を有する接続機器に関する。
【背景技術】
【０００２】
従来から、ネットワークを介して接続された複数の接続機器間の動作を連係させる方法が提案されており、例えば、特許文献１は、通信回線を介してテレビジョン受像機、エアコン、電話等の電気機器から制御コマンドを受信して、この制御コマンドを制御信号送受信ユニットのコードメモリに記憶し、当該コードメモリに記憶された各電器機器の制御コマンドを制御信号送受信ユニットの赤外線発光受光部から送信することにより、各電気機器を一括して制御するようにした電気機器制御装置を開示している。この装置によれば、例えば、電話がかかってきたときに、テレビジョン受像機の音声を小さくするといったような連係動作を行うことが可能である。
【０００３】
ところが、この電気機器制御装置は、外部機器（例えば電話機）にイベント（例えば、着信）が発生した際に、連動して動く側（連動側）の機器（例えばテレビジョン受像機）の状態を考慮せずに、画一的に連動側の機器の動作を実行するので、例えば、電話がかかってきた（着信した）ときに、テレビジョン受像機に音声信号が入力されていない状態であっても、テレビジョン受像機の音声を小さくするための処理を実行しまうことが起こり得る。また、電話機における通話時間が一定時間を超えたときに、ＨＤＤレコーダが録画を自動的に開始するように設定した場合には、既にＨＤＤレコーダが録画を実行中である場合でも、電話機における通話時間が一定時間を超えると、ＨＤＤレコーダが録画を自動的に開始するための処理を実行してしまうことが起こり得る。従って、特許文献１に記載の電気機器制御装置では、真にユーザの意図に沿った連係動作を実行することができないという問題があった。また、特許文献１に記載の電気機器制御装置には、専用の電気機器制御装置（パソコン）や、上記の制御信号送受信ユニットが必要になるという問題があった。
【０００４】
また、特許文献２は、ユーザにより現在所望ではない状態にある機器の指定を受け付けると、連携動作表、機器履歴情報等に基いて、修正対象の連携動作を特定し、基準時刻において所望の状態となるように、連携動作表の修正を行う電気機器制御装置や電気機器制御方法を開示している。
【０００５】
また、特許文献３は、ユーザからのサービス要求を受け取ると、ルックアップテーブルのサービスコンポーネント情報に従って、そのサービスに対応するサービスコンポーネントを起動する情報家電ネットワーク用ミドルウェアを開示している。
【０００６】
けれども、上記特許文献２及び３の発明も、外部機器にイベントが発生した際に、連動側の機器の状態を考慮せずに、画一的に連動側の機器の動作を実行するので、真にユーザの意図に沿った連係動作を実行することはできない。
【特許文献１】特開２００２−１８６０６７号公報
【特許文献２】特開２００４−３０４７８９号公報
【特許文献３】特開２００４−２５８８０９号公報
【発明の開示】
【発明が解決しようとする課題】
【０００７】
本発明は、上記の問題を解決するためになされたものであり、外部機器にイベントが発生した際における、連動側の機器の状態を考慮して、連動側の機器の動作を実行することができるようにして、真にユーザの意図に沿った連係動作を実行することが可能な連係動作プログラム、及び接続機器を提供することを目的とする。
【課題を解決するための手段】
【０００８】
上記目的を達成するために請求項１の発明は、ＩＰ（Internet Protocol）ネットワークを介して接続された複数の接続機器間の動作を連係させるための連係動作プログラムにおいて、前記複数の接続機器は、ＵＰｎＰ（Universal Plug and Play）規格に準拠しており、前記連係動作プログラムは、前記複数の接続機器のうちの一つであるテレビジョン受像機にインストールされ、前記連係動作プログラムは、前記テレビジョン受像機を、連係動作実行時の前記テレビジョン受像機の状態と、連係する外部機器と、前記連係動作の実行条件となる、前記外部機器における状態の変化（以下、イベントの発生という）と、この外部機器のイベントの発生時に実行する前記テレビジョン受像機側の動作とを設定するための連係動作設定手段、前記連係動作設定手段により設定された各設定を記憶する連係動作設定記憶手段、前記連係動作設定手段により設定された、前記連係する外部機器に対して、この外部機器にイベントが発生した場合に前記テレビジョン受像機にイベント発生を通知する旨の登録要求を、ＵＰｎＰ規格におけるＳＵＢＳＣＲＩＢＥの形式で前記連係する外部機器に送信する登録要求送信手段、前記連係する外部機器からイベント発生の通知を受信したときに、その時点における前記テレビジョン受像機の状態と、前記通知の送信元の外部機器と、前記通知で知らされたイベントとに対応した、前記テレビジョン受像機側の動作が連係動作設定記憶手段に記憶されているか否かを確認する確認手段、及び前記確認手段による確認の結果、前記テレビジョン受像機側の動作が記憶されている場合に、この記憶されている動作を実行する実行手段として機能させるものである。
【０００９】
請求項２の発明は、ネットワークを介して接続された複数の接続機器間の動作を連係させるための連係動作プログラムにおいて、前記連係動作プログラムは、前記複数の接続機器のうちの一つの接続機器にインストールされ、前記連係動作プログラムは、前記一つの接続機器（以下、自機という）を、連係動作実行時の自機の状態と、前記連係動作の実行条件となる、外部機器における状態の変化（以下、イベントの発生という）と、この外部機器のイベントの発生時に実行する自機側の動作とを設定するための連係動作設定手段、前記連係動作設定手段により設定された各設定を記憶する連係動作設定記憶手段、前記外部機器にイベントが発生した場合に自機にイベント発生を通知する旨の登録要求を、前記外部機器に送信する登録要求送信手段、前記外部機器からイベント発生の通知を受信したときに、その時点における自機の状態と前記通知で知らされたイベントとに対応した自機側の動作が連係動作設定記憶手段に記憶されているか否かを確認する確認手段、及び前記確認手段による確認の結果、自機側の動作が記憶されている場合に、この記憶されている動作を実行する実行手段として機能させるものである。
【００１０】
請求項３の発明は、ＩＰ（Internet Protocol）ネットワークを介して接続された複数の接続機器のうちの一つの接続機器であって、ＩＰネットワーク内の外部機器との連係動作実行時の自機の状態と、前記連係動作の実行条件となる、前記外部機器における状態の変化（以下、イベントの発生という）と、この外部機器のイベントの発生時に実行する自機側の動作とを設定するための連係動作設定手段と、前記連係動作設定手段により設定された各設定を記憶する連係動作設定記憶手段と、前記外部機器にイベントが発生した場合に自機にイベント発生を通知する旨の登録要求を、前記外部機器に送信する登録要求送信手段と、前記外部機器からイベント発生の通知を受信したときに、その時点における自機の状態と前記通知で知らされたイベントとに対応した自機側の動作が連係動作設定記憶手段に記憶されているか否かを確認する確認手段と、前記確認手段による確認の結果、自機側の動作が記憶されている場合に、この記憶されている動作を実行する実行手段とを備えるものである。
【発明の効果】
【００１１】
請求項１の発明によれば、連係する外部機器からイベント発生の通知を受信したときに、その時点におけるテレビジョン受像機の状態と、上記通知の送信元の外部機器と、上記通知で知らされたイベントとに応じた、テレビジョン受像機側の動作を実行することができる。これにより、外部機器にイベントが発生した際における、連動側の機器（テレビジョン受像機）の状態を考慮して、テレビジョン受像機の動作を実行することができるので、真にユーザの意図に沿った連係動作を実行することができる確率を高めることができる。
【００１２】
請求項２の発明によれば、外部機器からイベント発生の通知を受信したときに、その時点における自機の状態と、上記通知で知らされたイベントとに応じた、自機側の動作を実行することができる。これにより、外部機器にイベントが発生した際における、自機の状態を考慮して、自機側の動作を実行することができるので、真にユーザの意図に沿った連係動作を実行することができる確率を高めることができる。
【００１３】
請求項３の発明によれば、上記請求項２に記載の発明と同様な効果を得ることができる。
【発明を実施するための最良の形態】
【００１４】
本発明を実施するための最良の形態について図面を参照して説明する。本発明は、ネットワークを介して接続された複数の接続機器間の動作を連係させるための連係動作プログラム、及び上記複数の接続機器間の動作を連係させる機能を有する接続機器に関する。以下の実施形態では、本発明の連係動作プログラムのインストール先が、ディジタルテレビジョン受像機（以下、ＤＴＶと略す）である場合の例について説明する。なお、以下に記載した実施形態は、本発明を網羅するものではなく、本発明は、下記の形態だけに限定されない。
【００１５】
図１は、本実施形態による連係動作プログラムのインストール先のＤＴＶ（請求項におけるテレビジョン受像機及び一つの接続機器）を含む連係動作システム１を示す。この連係動作システム１は、家庭内ＩＰ（Internet Protocol）ネットワーク１０を介して接続された複数の接続機器（ＤＴＶ２、ＨＤＤレコーダ３、インタホン４、給湯機５、ＰＣ（Personal Computer）６、洗濯機７、電話機８、及びオーディオ機器９）により構成されている。これらの接続機器は、家庭内のパソコンや家電製品等を接続するための規格であるＵＰｎＰ（Universal Plug and Play）規格に準拠している。ＤＴＶ２は、ＵＰｎＰ規格における外部機器を制御する機能を有する機器であるコントロールポイントの一つである。
【００１６】
図２は、上記のＤＴＶ２の電気的ブロック構成を示す。ＤＴＶ２は、装置全体の制御を行うマイクロプロセッサ２０を有している。マイクロプロセッサ２０は、内部バスを介してチューナ２２、ＡＴＳＣフロントエンド２３、ＭＰＥＧデコーダ２４、ＯＳＤ回路２５、モニタ２６、スピーカ２７、メモリ２８（連係動作設定記憶手段）、赤外線信号受信部２９及びＩ／Ｆ３０と接続されている。
【００１７】
上記のチューナー２２は、ディジタルテレビジョン放送（ＡＴＳＣ（Advanced Television System Committee）放送）用のチューナであり、アンテナ１２で受信したＡＴＳＣ放送信号の中からユーザにより選択されたチャンネルの放送信号を抽出する。ＡＴＳＣフロントエンド２３は、チューナー２２で抽出された放送信号を複数のテレビ番組の映像、音声、電子番組情報等の信号が時分割多重化された状態のＴＳ信号に復調する。そして、このＴＳ信号の中から、ユーザにより選択されたチャンネルのテレビ番組の映像信号と音声信号を分離抽出して、ＭＰＥＧデコーダ２４に出力すると共に、電子番組情報の信号を抽出してマイクロプロセッサ２０に出力する。ＭＰＥＧデコーダ２４は、ＡＴＳＣフロントエンド２３から受信したＭＰＥＧ圧縮された（ＭＰＥＧ規格でディジタル圧縮符号化された）映像信号と音声信号を、ＭＰＥＧ圧縮される前の映像信号と音声信号に復号する。ＯＳＤ回路２５は、ＭＰＥＧデコーダ２４から出力された映像信号に、チャンネル番号やＥＰＧ画面等のオンスクリーン表示データの信号を重畳させるための回路である。モニタ２６は、ＯＳＤ回路２５から出力された、オンスクリーン表示データの信号が重畳された映像信号又は映像信号のみに基づく画像を表示する。スピーカ２７は、ＭＰＥＧデコーダ２４から出力された音声信号に基づく音声を出力する。
【００１８】
メモリ２８は、初期設定データ３１、この初期設定データ３１の入力用のプログラムである初期設定プログラム３２、及び上記初期設定データ３１に基く外部機器との連係動作の制御用のプログラムである連係動作制御プログラム３３を格納している。これらの初期設定プログラム３２と連係動作制御プログラム３３とが、請求項における連係動作プログラムに相当する。上記の初期設定プログラム３２とマイクロプロセッサ２０とが、請求項における連係動作設定手段に相当する。また、上記の初期設定プログラム３２とマイクロプロセッサ２０とＩ／Ｆ３０とが、請求項における登録要求送信手段に相当する。また、上記の連係動作制御プログラム３３とマイクロプロセッサ２０とが、請求項における確認手段及び実行手段に相当する。
【００１９】
Ｉ／Ｆ３０は、家庭内ＩＰネットワーク１０上の他の（ＤＴＶ２以外の）接続機器との間でデータの送受信を行うためのインタフェース用の回路である。赤外線信号受信部２９は、リモコン４０から送信された赤外線信号形式の指示信号を受信し、その指示信号を通常のデジタル信号に変換してマイクロプロセッサ２０に送る。
【００２０】
リモコン４０は、各種のキーからなるキー部４２と赤外線信号発信部４１とを有している。キー部４２には、電源キー４３、数字入力用のキー４５、カーソルキー４６、確定キー４７に加えて、各種メニューを表示するためのメニューキー４４が配設されている。リモコン４０内の各キーは、各種メニュー画面を用いた設定操作等に用いられる。
【００２１】
次に、図３を参照して、外部機器との連係動作を設定する際における処理（初期設定プログラム３２に記述された処理）について説明する。ユーザが、リモコン４０を用いて、外部機器との連係動作の設定を選択すると（Ｓ１）、ＤＴＶ２のマイクロプロセッサ２０は、図４に示されるように、連係動作設定メニューの一つである自機状態一覧画面５１をモニタ２６上に表示する。この状態で、ユーザが、リモコン４０を用いて、自機状態一覧画面５１に表示された状態ボタン５２を選択することにより、連係動作時の自機の状態を選択（設定）すると（Ｓ２）、ＤＴＶ２のマイクロプロセッサ２０は、図５に示されるように、外部機器一覧画面５５をモニタ２６上に表示して、ユーザに連係する外部機器の選択を促す。外部機器一覧画面５５には、デフォルトの状態では、家庭内ＩＰネットワーク１０上の他の（ＤＴＶ２以外の）接続機器の種類とメーカ名を表す機器ボタン５６が表示されるが、機器ボタン５６内にユーザ所望の機器名を表示することも可能である。
【００２２】
ユーザが、リモコン４０を用いて、上記の外部機器一覧画面５５に表示された機器ボタン５６の中から所望のボタン５６を選択することにより、連係する外部機器を選択（設定）すると（Ｓ３）、ＤＴＶ２のマイクロプロセッサ２０は、図６及び図７に示されるように、連係する外部機器において監視可能な、この外部機器のイベントの一覧画面（外部機器イベント一覧画面）６０をモニタ２６上に表示して、ユーザに連係動作の実行条件となるイベントの選択を促す。図６は、連係する外部機器が電話機８である場合の外部機器イベント一覧画面６０を示し、図７は、連係する外部機器がインタホン４である場合の外部機器イベント一覧画面６０を示す。例えば、連係する外部機器が電話機８である場合には、図６に示されるように、通常（非通話）状態、着信、通話開始、通話終了の状態に切り替わったときに（機器の状態が変化したときに）、それぞれイベントが発生する。
【００２３】
ユーザが、リモコン４０を用いて、上記の外部機器一覧画面６０に表示されたイベントボタン６１の中から所望のボタン６１を選択することにより、連係動作の実行条件となるイベントを選択（設定）すると（Ｓ４）、ＤＴＶ２のマイクロプロセッサ２０は、図８に示されるように、自機実行動作一覧画面７０をモニタ２６上に表示して、Ｓ４の処理で選択されたイベントの発生時に実行する自機側の動作の選択を促す。
【００２４】
ユーザが、リモコン４０を用いて、上記の自機実行動作一覧画面７０に表示された動作ボタン７１の中から所望のボタン７１を選択することにより、外部機器におけるイベント発生時に実行する自機側の動作を選択すると（Ｓ５）、ＤＴＶ２のマイクロプロセッサ２０は、上記Ｓ２乃至Ｓ５の処理で選択された設定内容を、初期設定データ３１としてメモリ２８に記憶（登録）する（Ｓ６）。なお、上記の説明では、外部機器におけるイベント発生時に実行する動作として自機の動作を設定する場合の例を示したが、外部機器におけるイベント発生時に実行する動作として他機の動作を設定することも可能である。上記Ｓ６の初期設定データの記憶処理が終了すると、ＤＴＶ２のマイクロプロセッサ２０は、上記Ｓ３の選択処理で選択された連係相手の外部機器に対して、該当の外部機器にイベントが発生した（状態が変化した）場合に、自機（ＤＴＶ２）にイベント発生を通知する旨の登録要求を、ＵＰｎＰ規格におけるＳＵＢＳＣＲＩＢＥの形式で送信する（Ｓ７）。上記Ｓ２乃至Ｓ７に示される外部機器との連係動作の設定処理は、全ての外部機器との連係動作の設定処理が終了するまで（Ｓ８でＮＯ）、繰り返し行なわれる。
【００２５】
次に、図９を参照して、上記Ｓ３の選択処理で選択された連係相手の外部機器からイベント発生の通知を受信した際における自機（ＤＴＶ２）側の処理（連係動作制御プログラム３３に記述された処理）について説明する。ＤＴＶ２のマイクロプロセッサ２０は、連係相手の外部機器からイベント発生の通知を受信すると（Ｓ１１でＹＥＳ）、その時点における自機（ＤＴＶ２）の状態と、上記通知の送信元の外部機器と、上記通知で知らされたイベントとに対応した自機（ＤＴＶ２）の動作が、初期設定データ３１としてメモリ２８に記憶（登録）されているか否かを確認する（Ｓ１２）。この結果、これらの条件に該当する自機の動作が、メモリ２８に記憶（登録）されている場合には（Ｓ１３でＹＥＳ）、ＤＴＶ２のマイクロプロセッサ２０は、メモリ２８に記憶（登録）されている動作を実行する（Ｓ１４）。ＤＴＶ２のマイクロプロセッサ２０は、自機（ＤＴＶ２）の電源が切断されるまで、上記Ｓ１１乃至Ｓ１４の処理を繰り返す。
【００２６】
次に、上記図３及び上記図９に示される処理を実行することによる効果について、ユーザがＤＴＶ２でテレビジョン放送を視聴中に電話がかかってきた場合を例に説明する。ユーザがＤＴＶ２でテレビジョン放送を視聴中に電話がかかってきた場合における、ユーザ側の問題とユーザが行なわなければならない処理は、以下の通りである。
【００２７】
第１に、スピーカ２７から出力されるＤＴＶ２側の音量が大きいと、ユーザは電話機８が鳴っていることに気づかない（以下、「第１の問題」という）。第２に、ユーザは、スピーカ２７から出力されるＤＴＶ２側の音量が大きいと、通話がしづらいので、ＤＴＶ２の音量を下げてから電話をとらなければならない（以下、「第２の処理」という）。第３に、ユーザは、電話機８による通話が長引くようだと、その時点で放送されている番組が見たい番組である場合には、番組を録画しなければならない（以下、「第３の処理」という）。第４に、ユーザは、電話機８による通話が終わったら、ＤＴＶ２側の音量を元に戻さなければならない（以下、「第４の処理」という）。
【００２８】
上記の第１の問題については、電話機８が鳴ったら、ＤＴＶ２側のマイクロプロセッサ２０が、音量を所定の音量まで下げることにより、対処することが可能である。この連係動作を行うためには、ユーザが、上記図３に示される連係動作の設定処理を行う際に、以下のような選択処理を行なう必要がある。すなわち、ユーザは、まず、図４に示される自機状態一覧画面５１に示される状態ボタン５２の中から、電話機８が鳴った場合にＤＴＶ２側の音量を下げる必要のある状態のボタン５２を選択する。具体的には、ユーザは、例えば、「テレビ放送視聴中」、「外部機器録画番組再生中」、及び「外部機器録画中」の状態ボタン５２を選択する。次に、ユーザは、図５に示される外部機器一覧画面５５に表示された機器ボタン５６の中から、電話機８のボタン５６を選択する。さらに、ユーザは、図６に示される外部機器イベント一覧画面６０に表示されたイベントボタン６１の中から、「着信」のイベントボタン６１を選択すると共に、図８に示される自機実行動作一覧画面７０に表示された動作ボタン７１の中から、「音量低下」の動作ボタン７１を選択する。
【００２９】
また、ユーザが電話機８をとったら、ＤＴＶ２側のマイクロプロセッサ２０が、音量をさらに下げるという連係動作を行うことにより、上記の第２の処理を自動的に実行することができる。この連係動作を行うためには、ユーザが、上記図３に示される連係動作の設定処理を行う際に、以下のような選択処理を行なう必要がある。すなわち、ユーザは、まず、図４に示される自機状態一覧画面５１に示される状態ボタン５２の中から、ユーザが電話機８をとった場合にＤＴＶ２側の音量をさらに下げる必要のある状態のボタン５２を選択する。具体的には、ユーザは、例えば、「テレビ放送視聴中」、「外部機器録画番組再生中」、及び「外部機器録画中」の状態ボタン５２を選択する。次に、ユーザは、図５に示される外部機器一覧画面５５に表示された機器ボタン５６の中から、電話機８のボタン５６を選択する。さらに、ユーザは、図６に示される外部機器イベント一覧画面６０に表示されたイベントボタン６１の中から、「通話開始」のイベントボタン６１を選択すると共に、図８に示される自機実行動作一覧画面７０に表示された動作ボタン７１の中から、「音声無（ミュート）」の動作ボタン７１を選択する。
【００３０】
また、通話時間が一定時間を超えたら、ＤＴＶ２側のマイクロプロセッサ２０が、ＨＤＤレコーダ３への録画を開始するという連係動作を行うことにより、上記の第３の処理を自動的に実行することができる。この連係動作を行うためには、ユーザが、上記図３に示される連係動作の設定処理を行う際に、以下のような選択処理を行なう必要がある。すなわち、ユーザは、まず、図４に示される自機状態一覧画面５１に示される状態ボタン５２の中から、通話時間が一定時間を超えた場合に録画を開始する必要のある状態のボタン５２を選択する。具体的には、ユーザは、「テレビ放送視聴中」の状態ボタン５２を選択する。次に、ユーザは、図５に示される外部機器一覧画面５５に表示された機器ボタン５６の中から、電話機８のボタン５６を選択する。さらに、ユーザは、図６に示される外部機器イベント一覧画面６０に表示されたイベントボタン６１の中から、「通話一定時間超」のイベントボタン６１を選択すると共に、図８に示される自機実行動作一覧画面７０に表示された動作ボタン７１の中から、「録画開始」の動作ボタン７１を選択する。
【００３１】
また、上記の第３の処理を自動的に実行し、電話機８による通話が終了した時点で、上記のＨＤＤレコーダ３への録画が開始されていた場合には、ＤＴＶ２側のマイクロプロセッサ２０は、ユーザに追っかけ再生の開始を促す必要がある。この連係動作を行うためには、ユーザが、上記図３に示される連係動作の設定処理を行う際に、以下のような選択処理を行なう必要がある。すなわち、ユーザは、まず、図４に示される自機状態一覧画面５１に示される状態ボタン５２の中から、追っかけ再生を行う必要のある状態のボタン５２を選択する。具体的には、ユーザは、「外部機器録画中」の状態ボタン５２を選択する。次に、ユーザは、図５に示される外部機器一覧画面５５に表示された機器ボタン５６の中から、電話機のボタン５６を選択する。さらに、ユーザは、図６に示される外部機器イベント一覧画面６０に表示されたイベントボタン６１の中から、「通話終了」のイベントボタン６１を選択すると共に、図８に示される自機実行動作一覧画面７０に表示された動作ボタン７１の中から、「追っかけ再生選択画面」の動作ボタン７１を選択する。ユーザが上記のような選択処理を行なうことにより、ＤＴＶ２のマイクロプロセッサ２０は、電話機８による通話が終了した時点で、図１０に示される追っかけ再生選択画面７５をモニタ２６上に表示して、ユーザに追っかけ再生の開始を促す。
【００３２】
また、電話機８による通話が終わったら、ＤＴＶ２側の音量を元に戻すという連係動作を行うことにより、上記の第４の処理を自動的に実行することができる。この連係動作を行うためには、ユーザが、上記図３に示される連係動作の設定処理を行う際に、以下のような選択処理を行なう必要がある。すなわち、ユーザは、まず、図４に示される自機状態一覧画面５１に示される状態ボタン５２の中から、電話機８による通話が終わった場合にＤＴＶ２側の音量を元に戻す必要のある状態のボタン５２を選択する。具体的には、ユーザは、例えば、「テレビ放送視聴中」、「外部機器録画番組再生中」、及び「外部機器録画中」の状態ボタン５２を選択する。次に、ユーザは、図５に示される外部機器一覧画面５５に表示された機器ボタン５６の中から、電話機のボタン５６を選択する。さらに、ユーザは、図６に示される外部機器イベント一覧画面６０に表示されたイベントボタン６１の中から、「通話終了」のイベントボタン６１を選択すると共に、図８に示される自機実行動作一覧画面７０に表示された動作ボタン７１の中から、「音量戻し」の動作ボタン７１を選択する。
【００３３】
次に、上記図３及び上記図９に示される処理を実行することによる効果について、ユーザがＨＤＤレコーダ３に録画した番組をＤＴＶ２で視聴中に、お客さんがインタホン４（図１参照）のチャイムを鳴らした場合を例に説明する。ユーザがＨＤＤレコーダ３に録画した番組をＤＴＶ２で視聴中に、お客さんがインタホン４のチャイムを鳴らした場合における、ユーザ側の問題は、以下の通りである。
【００３４】
第１に、スピーカ２７から出力されるＤＴＶ２側の音量が大きいと、ユーザは来客があったこと（インタホン４のチャイムが鳴らされたこと）に気づかない。第２に、ユーザは、来客があると（インタホン４のチャイムが鳴らされると）、視聴中の番組の再生を一時停止状態にしなければならない。第３に、ユーザは、お客さんが帰ると、視聴中の番組の再生を再開しなければならない。
【００３５】
上記の第１の問題については、インタホン４のチャイムが鳴ったら、ＤＴＶ２側のマイクロプロセッサ２０が、来客があったことをモニタ２６上に表示することにより、対処することが可能である。この連係動作を行うためには、ユーザが、上記図３に示される連係動作の設定処理を行う際に、以下のような選択処理を行なう必要がある。すなわち、ユーザは、まず、図４に示される自機状態一覧画面５１に示される状態ボタン５２の中から、「外部機器録画番組再生中」の状態ボタン５２を選択する。次に、ユーザは、図５に示される外部機器一覧画面５５に表示された機器ボタン５６の中から、インタホンのボタン５６を選択する。さらに、ユーザは、図７に示される外部機器イベント一覧画面６０に表示されたイベントボタン６１の中から、「チャイム鳴動」のイベントボタン６１を選択すると共に、図８に示される自機実行動作一覧画面７０に表示された動作ボタン７１の中から、「来客画面表示」の動作ボタン７１を選択する。
【００３６】
ユーザが上記のような選択処理を行なうことにより、ＤＴＶ２のマイクロプロセッサ２０は、インタホン４のチャイムが鳴った時点で、図１１に示される来客画面（１）８０をモニタ２６上に表示して、ユーザに来客があったことを知らせる。
【００３７】
上記の第２の問題については、来客画面（１）８０がモニタ２６上に表示された状態において、ユーザが、リモコン４０を用いて、来客画面（１）８０上の確認ボタン８１を選択したときに、ＤＴＶ２側のマイクロプロセッサ２０が、再生中の番組を一時停止することにより、対処することが可能である。なお、ユーザが、リモコン４０を用いて、来客画面（１）８０上の確認ボタン８１を選択すると、ＤＴＶ２側のマイクロプロセッサ２０は、再生中の番組を一時停止すると共に、図１２に示される来客画面（２）８３をモニタ２６上に表示する。
【００３８】
上記の第３の問題については、来客画面（２）８３がモニタ２６上に表示された状態において、ユーザが、リモコン４０を用いて、来客画面（２）８３上の再開ボタン８４を選択したときに、ＤＴＶ２側のマイクロプロセッサ２０が、番組の再生を再開することにより、対処することが可能である。
【００３９】
上述したように、本実施形態のＤＴＶ２によれば、連係する外部機器からイベント発生の通知を受信したときに、その時点における自機（ＤＴＶ２）の状態と、上記通知の送信元の外部機器と、上記通知で知らされたイベントとに応じた自機側の動作を実行することができる。これにより、外部機器にイベントが発生した際における、自機の状態を考慮して、自機の動作を実行することができるので、真にユーザの意図に沿った連係動作を実行することができる確率を高めることができる。
【００４０】
なお、本発明は、上記実施形態に限られるものではなく、様々な変形が可能である。例えば、上記実施形態では、本発明の連係動作プログラムのインストール先が、ＤＴＶである場合の例の例を示したが、本発明の連係動作プログラムのインストール先となる接続機器は、これに限られず、パソコンやＨＤＤレコーダであってもよい。なお、本発明の連係動作プログラムのインストール先となる接続機器は、図４乃至図８に示されるような各種の選択画面を表示可能なモニタを備えた機器であることが望ましい。また、本発明の連係動作プログラムのインストール先となる接続機器、及びこの接続機器に接続される機器は、必ずしもＵＰｎＰ規格に準拠した機器である必要はない。
【図面の簡単な説明】
【００４１】
【図１】本発明の一実施形態による連係動作プログラムのインストール先のＤＴＶを含む連係動作システムの構成図。
【図２】上記ＤＴＶの電気的ブロック構成図。
【図３】上記ＤＴＶにおける外部機器との連係動作の設定処理のフローチャート。
【図４】上記設定処理において用いられる自機状態一覧画面を示す図。
【図５】上記設定処理において用いられる外部機器一覧画面を示す図。
【図６】上記設定処理において用いられる電話機用の外部機器イベント一覧画面を示す図。
【図７】上記設定処理において用いられるインタホン用の外部機器イベント一覧画面を示す図。
【図８】上記設定処理において用いられる自機実行動作一覧画面を示す図。
【図９】上記ＤＴＶにおけるイベント発生通知を受信した際における自機側の連係動作処理のフローチャート。
【図１０】上記連係動作処理において用いられる追っかけ再生選択画面を示す図。
【図１１】上記連係動作処理において用いられる来客画面（１）を示す図。
【図１２】上記連係動作処理において用いられる来客画面（２）を示す図。
【符号の説明】
【００４２】
２    ＤＴＶ（テレビジョン受像機、一つの接続機器）
１０  家庭内ＩＰネットワーク
２０  マイクロプロセッサ（連係動作設定手段、登録要求送信手段、確認手段、実行手段）
２８  メモリ（連係動作設定記憶手段）
３０  Ｉ／Ｆ（登録要求送信手段）
３２  初期設定プログラム（連係動作プログラム、連係動作設定手段、登録要求送信手段）
３３  連係動作制御プログラム（連係動作プログラム、確認手段、実行手段）
【図１】
2007110388.tif 000003
【図２】
2007110388.tif 000004
【図３】
2007110388.tif 000005
【図４】
2007110388.tif 000006
【図５】
2007110388.tif 000007
【図６】
2007110388.tif 000008
【図７】
2007110388.tif 000009
【図８】
2007110388.tif 000010
【図９】
2007110388.tif 000011
【図１０】
2007110388.tif 000012
【図１１】
2007110388.tif 000013
【図１２】
2007110388.tif 000014